(57)【要約】      （修正有）【課題】皮膚が紫外線に弱い使用者の不快感が低減されるまたは発生する可能性を減少させることができる紫外線硬化材料硬化装置を提供する。【解決手段】第１の方向Ｌ１に向かう開口３０を有するハウジング本体部３２と、開口に面する光反射面３３１を有し、光反射面と開口との間にある空間を照射空間として画成するように構成されている光反射カバー３３と、を有するハウジング３と、光反射カバー３３に設置されている紫外線照射モジュール５と、を備えており、紫外線照射モジュール５は、照射空間内の照射対象に向かって紫外線を放射する紫外線ＬＥＤ５１と、紫外線ＬＥＤのＯＮ／ＯＦＦを制御できる電気スイッチと、電気スイッチの開閉を制御するパルス幅変調信号を発信できるパルス幅変調器と、により構成されている。【選択図】図２
0003202900.tif 000002
【実用新案登録請求の範囲】
【請求項１】
第１の方向に向かって開けられている開口を有するように略皿状に形成されているハウジング本体部と、前記ハウジング本体部の前記開口の内側に配置されて前記ハウジング本体部の前記開口の内側の空間を外部から仕切ると共に、前記開口に面する光反射面を有し、前記光反射面と前記開口との間にある空間を照射空間として画成するように配置構成されている光反射カバーと、を有するように構成されているハウジングと、
前記光反射カバーに設置されている紫外線照射モジュールと、を備えており、
前記紫外線照射モジュールは、
前記照射空間内に配置される照射対象に向かって紫外線を放射することができるように前記光反射カバーに設置されている紫外線ＬＥＤと、
前記紫外線ＬＥＤに電気的に接続され、前記紫外線ＬＥＤのＯＮ／ＯＦＦを制御できるように構成されている電気スイッチと、
前記電気スイッチに電気的に接続され、前記電気スイッチの開閉を制御するパルス幅変調信号を発信するように構成されているパルス幅変調器と、を有するように構成されていることを特徴とする紫外線硬化材料硬化装置。
【請求項２】
前記ハウジングには、前記電気スイッチに電気的に接続されるセンサーが設置され、
前記センサーとして、照射対象が前記照射空間に進入したことを感知すると、前記電気スイッチに前記紫外線ＬＥＤの紫外線の放射を起動させる起動信号を発信し、且つ時間の計測を開始させる開始信号を前記紫外線照射モジュールに発信するように構成されたものを使用しており、
前記紫外線照射モジュールには、前記センサーと前記電気スイッチとに電気的に接続され、前記センサーからの前記開始信号を受信してから時間の計測を開始し、所定の時間が経過すると前記電気スイッチに前記紫外線ＬＥＤの紫外線の放射を停止させる停止信号を発するように構成されているタイマーが設置されていることを特徴とする請求項１に記載の紫外線硬化材料硬化装置。
【請求項３】
前記ハウジングは、前記開口を覆うように前記ハウジング本体部に取り付けられていると共に、前記光反射カバーの前記光反射面に面して前記照射対象を支持することができる支持面を有するように構成されている置き台を更に有し、
更に、前記ハウジング本体部は、前記第１の方向において前記開口の反対側に配置されている上端板と、前記上端板の周縁から前記開口側へ延伸する周壁とを有することにより略皿状に形成されていると共に、前記周壁の前記開口に臨む端縁には凹陥部が形成され、該凹陥部の形成により、外部から前記第１の方向と略直交する第２の方向に沿って前記照射空間に進入することができる進入口が画成されていることを特徴とする請求項２に記載の紫外線硬化材料硬化装置。
【請求項４】
前記置き台の前記支持面には、前記照射対象を所定の支持位置に定位することができるように、前記支持位置を囲むガイド部が前記支持位置の周縁から突起するように形成されており、
前記センサーは、前記ハウジングの前記光反射カバーに設置され、光線を前記支持位置に向かって投光して、該光線が前記支持面側から反射されてきたか否かを感知することができる反射型光センサーであり、
前記支持面における前記支持位置には、前記センサーが投光してきた光線を前記センサーへ反射しないように構成されている感知防止部が設置されていることを特徴とする請求項３に記載の紫外線硬化材料硬化装置。
【請求項５】
前記パルス幅変調器は、前記ハウジング本体部の前記照射空間に面する側の反対側である外側に設置されて該パルス幅変調器により発信されるパルス幅変調信号のデューティサイクルを調整できる調整部を有していることを特徴とする請求項１〜４の何れか１項に記載の紫外線硬化材料硬化装置。
【請求項６】
前記パルス幅変調器として、異なるデューティサイクルを有する複数種類のパルス幅変調信号を発信できるものが使用されていることを特徴とする請求項１〜５の何れか１項に記載の紫外線硬化材料硬化装置。
【請求項７】
前記支持面における前記支持位置以外の部分には、光線を前記光反射カバーへ反射できる光反射部が設置されていることを特徴とする請求項４に記載の紫外線硬化材料硬化装置。
【請求項８】
前記ハウジングは、前記置き台と前記ハウジング本体部とを取り外し可能に接続させる複数の磁力接続手段を更に有しており、
また、前記センサーは、前記ハウジングの前記置き台に設置されている上、前記センサーに電気的に接続されて前記置き台に設置されている第１の端子と、前記ハウジング本体部に設置され、前記電気スイッチと前記タイマーとに電気的に接続され、且つ前記置き台と前記ハウジング本体部とが前記磁力接続手段により接続される際、前記第１の端子に電気的に接続される第２の端子と、を有していることを特徴とする請求項３に記載の紫外線硬化材料硬化装置。
【考案の詳細な説明】
【技術分野】
【０００１】
本考案は紫外線硬化材料硬化装置に関し、具体的にはジェルネイルを硬化するために使用する紫外線硬化材料硬化装置に関する。
【背景技術】
【０００２】
近年ネイルアートにおいては、ジェルネイルなどの紫外線硬化材料を用いるものが広く利用されている。このような紫外線硬化材料を硬化させるためには、爪に紫外線を照射する装置が必要となる。
【０００３】
従来の紫外線硬化材料硬化装置として、指が進入可能な開口部を前面に有する器体の内部に前記開口部と連通する照射空間を形成したものが知られており、前記照射空間の底部の上方には、紫外線硬化材料を硬化させることが可能な紫外線を底部に向けて発する紫外線光源が設けられている。
【０００４】
しかし、紫外線が指の皮膚にも照射されるので、皮膚が紫外線に弱い使用者の場合、痛みや灼熱感などの不快感を感じる恐れがあり、また、使用者が痛みや灼熱感などの不快感を感じて、慌てて指を照射空間から抜き出すと、手が硬化装置に衝突して怪我をしたり、硬化装置を損害する恐れもある。
【考案の概要】
【考案が解決しようとする課題】
【０００５】
上記問題点に鑑みて、本考案は、使用者の痛みや灼熱感などの不快感を低減するまたは該不快感が発生する可能性を減少することができる紫外線硬化材料硬化装置の提供を目的とする。
【課題を解決するための手段】
【０００６】
上記目的を達成すべく、本考案は、第１の方向に向かって開けられている開口を有るように略皿状に形成されているハウジング本体部と、前記ハウジング本体部の前記開口の内側に配置されて前記ハウジング本体部の前記開口の内側の空間を外部から仕切ると共に、前記開口に面する光反射面を有し、前記光反射面と前記開口との間にある空間を照射空間として画成するように配置構成されている光反射カバーと、を有するように構成されているハウジングと、前記光反射カバーに設置されている紫外線照射モジュールと、を備えており、前記紫外線照射モジュールは、前記照射空間内に配置される照射対象に向かって紫外線を放射することができるように前記光反射カバーに設置されている紫外線ＬＥＤと、前記紫外線ＬＥＤに電気的に接続され、前記紫外線ＬＥＤのＯＮ／ＯＦＦを制御できるように構成されている電気スイッチと、前記電気スイッチに電気的に接続され、前記電気スイッチの開閉を制御するパルス幅変調信号を発信するように構成されているパルス幅変調器と、を有するように構成されていることを特徴とする紫外線硬化材料硬化装置を提供する。
【考案の効果】
【０００７】
上記構成により、本考案の紫外線硬化材料硬化装置は、紫外線ＬＥＤのＯＮ／ＯＦＦを制御できる電気スイッチの開閉を制御するパルス幅変調信号を発信するように構成されているパルス幅変調器を有するので、該パルス幅変調信号により紫外線ＬＥＤのＯＮ／ＯＦＦを制御して、紫外線ＬＥＤが間歇的に紫外線を放射することができる。従って、単位時間当たりの使用者の指に照射される紫外線の量が減少されて、痛みや灼熱感などの不快感が有効的に低減されまたは発生しなくなる。
【図面の簡単な説明】
【０００８】
【図１】本考案の紫外線硬化材料硬化装置の実施形態の斜視図である。
【図２】上記実施形態の紫外線硬化材料硬化装置の分解図である。
【図３】上記実施形態の紫外線硬化材料硬化装置の側面視の断面図である。
【図４】上記実施形態の紫外線硬化材料硬化装置の紫外線照射モジュールのプロセスを示すフローチャートである。
【考案を実施するための形態】
【０００９】
以下では各図面を参照しながら、本考案の好ましい実施形態について詳しく説明する。
【００１０】
図１は本考案の紫外線硬化材料硬化装置の実施形態の斜視図であり、図２は上記実施形態の紫外線硬化材料硬化装置の分解図である。
【００１１】
本考案の紫外線硬化材料硬化装置は、図１及び図２に示されるように、ハウジング３と、紫外線照射モジュール５と、を備えて、照射対象、例えば指に乗っているジェルネイルなどに対して紫外線を照射して硬化させるために構成されている。
【００１２】
ハウジング３は、図２に示されるように、第１の方向Ｌ１に向かって開けられている開口３０を有するように略皿状に形成されているハウジング本体部３２と、ハウジング本体部３２の開口３０の内側に配置されてハウジング本体部３２の開口３０の内側の空間を外部から仕切ると共に、開口３０に面する光反射面３３１を有し、光反射面３３１と開口３０との間にある空間を照射空間３００として画成するように配置構成されている光反射カバー３３と、開口３０を覆うようにハウジング本体部３２に取り付けられていると共に、光反射カバー３３の光反射面３３１に面して前記照射対象を支持することができる支持面３１０を有するように構成されている置き台３１と、置き台３１とハウジング本体部３２とを取り外し可能に接続させる複数の磁力接続手段３４と、を有するように構成されている。
【００１３】
ハウジング本体部３２は、第１の方向Ｌ１において開口３０の反対側に配置されている上端板３２１と、上端板３２１の周縁から開口３０側へ延伸する周壁３２２とを有することにより略皿状に形成されていると共に、周壁３２２の開口３０に臨む端縁には凹陥部が形成され、該凹陥部の形成により、外部から第１の方向Ｌ１と略直交する第２の方向Ｌ２に沿って照射空間３００に進入することができる進入口３０１が画成されている。
【００１４】
置き台３１の支持面３１０には、照射対象を所定の支持位置３１１に定位することができるように、支持位置３１１を囲むガイド部３１３が支持位置３１１の周縁から突起するように形成されている。また、支持面３１０における支持位置３１１以外の部分には、光線を光反射カバー３３へ反射できる光反射部３１２が設置されている。
【００１５】
この実施形態において、置き台３１の支持面３１０におけるガイド部３１３は、支持位置３１１が手の平の形状に対応するように突起して形成されているが、足の裏の形状に対応するように突起して形成されることもできる。
【００１６】
図３は上記実施形態の紫外線硬化材料硬化装置の側面視の断面図であり、図４は上記実施形態の紫外線硬化材料硬化装置の紫外線照射モジュールのプロセスを示すフローチャートである。
【００１７】
紫外線照射モジュール５は、図２、図３、図４に示されるように、光反射カバー３３に設置されている上、紫外線ＬＥＤ５１と、電気スイッチ５２と、パルス幅変調器５３と、を有するように構成されている。
【００１８】
紫外線ＬＥＤ５１は、照射空間３００内に配置される照射対象に向かって紫外線を放射することができるように光反射カバー３３に設置されている。
【００１９】
図４に示されるように、電気スイッチ５２は、紫外線ＬＥＤ５１に電気的に接続され、紫外線ＬＥＤ５１のＯＮ／ＯＦＦを制御できるように構成されている。パルス幅変調器５３は、電気スイッチ５２に電気的に接続され、電気スイッチ５２の開閉を制御するパルス幅変調信号を発信するように構成されている。
【００２０】
ハウジング３には、電気スイッチ５２に電気的に接続されているセンサー４が設置され、前記紫外線照射モジュール５には、タイマー５４が設置されている。
【００２１】
図４に示されるように、センサー４として、照射対象が照射空間３００に進入したことを感知してから、電気スイッチ５２に紫外線ＬＥＤ５１の紫外線の放射を起動させる起動信号を発信すると共に、タイマー５４に時間の計測を開始させる開始信号をタイマー５４に発信するように構成されたものを使用している。
【００２２】
タイマー５４として、センサー４と電気スイッチ５２とに電気的に接続され、センサー４からの開始信号を受信してから時間の計測を開始し、所定の時間が経過すると、電気スイッチ５２に紫外線ＬＥＤ５１の紫外線の放射を停止させる停止信号を発するように構成されている。前記所定の時間は、必要に応じて設定することができ、例えば、３０秒や６０秒やなどの時間に設定することができる。
【００２３】
この実施形態において、紫外線照射モジュール５は、電源に接続する電源端子５５を更に有し、電気スイッチ５２とパルス幅変調器５３とタイマー５４とは、１つの回路基板５０に設置されている。また、センサー４は、ハウジング３の光反射カバー３３に設置され、光線を支持位置３１１に向かって投光して、該光線が支持面３１０側から反射されてきたか否かを感知することができる反射型光センサーである。置き台３１の支持面３１０における支持位置３１１には、センサー４が投光してきた光線をセンサー４へ反射しないように構成されている感知防止部３５が設置されている。
【００２４】
パルス幅変調器５３は、ハウジング本体部３２の照射空間３００に面する側の反対側である外側に設置されてパルス幅変調器５３により発信されるパルス幅変調信号のデューティサイクルを調整できる調整部５３１を有している。
【００２５】
電気スイッチ５２は、パルス幅変調器５３により発信されるパルス幅変調信号のデューティサイクルにより、紫外線ＬＥＤ５１のＯＮ／ＯＦＦを制御し、紫外線ＬＥＤ５１に間歇的に紫外線を放射させる。つまり、紫外線ＬＥＤ５１のＯＮになっている時間とＯＦＦになっている時間との比は、パルス幅変調信号のデューティサイクルにより決定されて、間歇的に紫外線を放射させるので、連続的に放射させた場合と比べて、単位時間当たりの紫外線の放射量が減少される。
【００２６】
なお、パルス幅変調器５３として、調整部５３１を有せずに、起動時間の長さにより、異なるデューティサイクルを有する複数種類のパルス幅変調信号を発信できるものを使用することもできる。例えば、起動時から起動後１０秒までは、第１のデューティサイクルを有するパルス幅変調信号を発信し、起動後１０秒から起動後２０秒までは、第２のデューティサイクルを有するパルス幅変調信号を発信し、起動後２０秒から起動後３０秒までは、第２のデューティサイクルを有するパルス幅変調信号を発信するように設定することができるパルス幅変調器を使用することもできる。
本発明の紫外線硬化材料硬化装置を使用する際に、使用者の紫外線硬化材料を爪に塗布した手を進入口３０１を通って照射空間３００に進入させると、センサー４から投光した光線が使用者の手により反射され、センサー４は使用者の手により反射された光線を感知して、電気スイッチ５２及びタイマー５４それぞれに起動信号または開始信号を発信し、紫外線の放射を開始させる。放射された紫外線は、光反射カバー３３の光反射面３３１と置き台３１の光反射部３１２とにより照射空間３００に均一に分散するように反射され、紫外線硬化材料を均一に硬化する。また、紫外線ＬＥＤ５１が紫外線を放射している間、パルス幅変調器５３は、電気スイッチ５２に対してパルス幅変調信号を発信して、紫外線ＬＥＤ５１を間歇的に紫外線を放射させる。硬化した後または途中でも、使用者が手を進入口３０１から抜き出すと、センサー４が手が抜き出されたことを感知して、紫外線照射モジュール５の作動を停止させる。
【００２７】
なお、使用の際には、置き台３１をハウジング本体部３２から外して、手または足をハウジング本体部３２の前記凹陥部を通して照射空間３００に進入させることもできる。
【００２８】
上記の構成によれば、電気スイッチ５２は、パルス幅変調器５３により発信されるパルス幅変調信号のデューティサイクルにより、紫外線ＬＥＤ５１のＯＮ／ＯＦＦを制御するので、紫外線ＬＥＤ５１に間歇的に紫外線を放射させることができる。従って、使用者の指に照射する紫外線の単位時間当たりの放射量が減少されて、痛みや灼熱感やなどの不快感が有効的に低減されまたは発生しなくなる。
【００２９】
なお、センサー４は、ハウジング３の置き台３１の支持位置３１１に設置されている上、センサー４に電気的に接続されて置き台３１に設置されている第１の端子（図示せず）と、ハウジング本体部３２に設置され、電気スイッチ５２とタイマー５４とに電気的に接続され、且つ置き台３１とハウジング本体部３２とが磁力接続手段３４により接続される際、前記第１の端子に電気的に接続されている第２の端子（図示せず）と、を有しているように構成されることもできる。例えば、前記第１の端子を支持位置３１１における指先に対応する位置に設置すると、使用者の指先が上記対応する位置から外れただけで、手を進入口３０１から抜き出さなくても、紫外線照射モジュール５の作動を停止することができる。
【産業上の利用可能性】
【００３０】
本考案の紫外線硬化材料硬化装置は、紫外線硬化材料を硬化することができ、ネイルアートにおいて紫外線硬化材料で構成するジェルネイルを硬化することに特に好適である。また、皮膚が紫外線に弱くてより痛みを生じやすい使用者に対して特に好適である。
【符号の説明】
【００３１】
３  ハウジング
４  センサー
５  紫外線照射モジュール
３０  開口
３００  照射空間
３０１  進入口
３１  置き台
３１０  支持面
３１１  支持位置
３１２  光反射部
３１３  ガイド部
３２  ハウジング本体部
３２１  上端板
３２２  周壁
３３  光反射カバー
３３１  光反射面
３４  磁力接続手段
５１  紫外線ＬＥＤ
５２  電気スイッチ
５３  パルス幅変調器
５３１  調整部
５４  タイマー
５５  電源端子
Ｌ１  第１の方向
Ｌ２  第２の方向
【図１】
0003202900.tif 000003
【図２】
0003202900.tif 000004
【図３】
0003202900.tif 000005
【図４】
0003202900.tif 000006